(57)【特許請求の範囲】
【請求項１】
ソフトキーボードを表示できる操作表示部を備え、端末装置に通信回線を介して配設された通信装置において、
前記端末装置が送信先として選択された場合、前記端末装置より前記端末装置で設定されている言語の文字コードを取得し、前記端末装置へ送信するデータに付加する文字を入力する際には、前記取得した文字コードに従ったソフトキーボードを前記操作表示部に表示することを特徴とする通信装置。
【請求項２】
前記取得した文字コードの文字コード表を有していない場合、前記操作表示部で使用中の文字コードに従ったソフトキーボードを前記操作表示部に表示することを特徴とする請求項１記載の通信装置。
【請求項３】
前記取得した文字コードの文字コード表を有していない場合、前記文字コードの文字コード表をダウンロードした後、前記文字コードに従ったソフトキーボードを前記操作表示部に表示することを特徴とする請求項１記載の通信装置。
【請求項４】
前記通信装置は、ネットワークスキャナ、ネットワークファクシミリ、又は両者の複合機であることを特徴とする請求項１〜３の何れかに記載の通信装置。
【発明の詳細な説明】
【０００１】
【発明の属する技術分野】
本発明は、端末装置に通信回線を介して配設された通信装置に関するものである。
【０００２】
【従来の技術】
近年、社内ＬＡＮ等の通信回線を利用して複数のパーソナルコンピュータ（以下、ＰＣと記す）等の端末装置、プリンタ、ファクシミリ、スキャナ等を配設することにより、１つのプリンタ、ファクシミリ、スキャナ等を共有して使用するネットワークシステムが構築されている。また、プリンタ、ファクシミリ、スキャナ等の機能を有した複合機としての通信装置も開発されている。そして、この通信装置には多種多様な機能が備えられている。
【０００３】
例えば、上記の通信装置において、スキャナで読み込んだ画像をＰＣへ送信してＰＣに保存する機能がある。このとき、通信装置上で画像にデータ名等を付すことができる。これにより、通信装置に画像を保存しておく必要がなく、メモリ容量が小さくて済む。また、記録媒体を介さず画像を所望のＰＣに送信することができる非常に便利な機能である。
【０００４】
【発明が解決しようとする課題】
しかしながら、個々のＰＣの言語設定は各ユーザの母国語に設定されていることが多く、社内ＬＡＮで接続されたすべてのＰＣの言語設定が一致しているとは限らない。上記の機能を用いる場合、通信装置とＰＣの言語設定が一致していないと、通信装置上で入力したデータ名等がＰＣ上では他の文字に置き換わり、いわゆる文字化けして表示される。従って、ＰＣ上で適切なデータ名が表示されず、ＰＣを使用するユーザは複数の画像データを区別することができない。
【０００５】
本発明は、端末装置と通信装置で使用している文字コードが異なる場合でも、データに付加した文字を端末装置上で適切に表示することができる通信装置を提供することを目的とする。
【０００６】
【課題を解決するための手段】
上記目的を達成するために本発明は、ソフトキーボードを表示できる操作表示部を備え、端末装置に通信回線を介して配設された通信装置において、
前記端末装置が送信先として選択された場合、前記端末装置より前記端末装置で設定されている言語の文字コードを取得し、前記端末装置へ送信するデータに付加する文字を入力する際には、前記取得した文字コードに従ったソフトキーボードを前記操作表示部に表示することを特徴とする。
【０００７】
この構成によると、ユーザは通信装置上で端末装置の言語を用いて文字入力できるので、端末装置と通信装置で使用している文字コードが異なる場合でも、データに付加した文字を端末装置上で適切に表示することができる。
【０００８】
なお上記の通信装置において、前記取得した文字コードの文字コード表を有していない場合、前記操作表示部で使用中の文字コードに従ったソフトキーボードを前記操作表示部に表示することにより、通信装置のソフトキーボードで入力されたデータ名称は、従来と同様に端末装置上で何らかの文字として表示することが可能である。
【０００９】
また上記の通信装置において、前記取得した文字コードの文字コード表を有していない場合、前記文字コードの文字コード表をダウンロードした後、前記文字コードに従ったソフトキーボードを前記操作表示部に表示することにより、ユーザは通信装置上で端末装置の言語を用いて文字入力できるので、端末装置と通信装置で使用している文字コードが異なる場合でも、データに付加した文字を端末装置上で適切に表示することができる。
【００１０】
そして、上記の通信装置は、ネットワークスキャナ、ネットワークファクシミリ、又は両者の複合機とすることができる。
【００１１】
【発明の実施の形態】
図１は、本発明の複合機を用いたネットワークシステムの構成を示すブロック図である。社内ＬＡＮ等で構築されたこのネットワークシステムは、スキャナ機能、ファクシミリ機能、プリンタ機能、コピー機能を備えたネットワーク対応の複合機１０と、複合機１０を介してデータを送受信する複数のＰＣ１１ａ〜１１ｎと、複合機１０と他の通信装置（例えば、ファクシミリ装置やＰＣ）間を接続する公衆回線１２とから構成される。
【００１２】
このネットワークシステムにおいて、複合機１０で読み込んだ原稿はＰＣ１１ａ〜１１ｎ又は公衆回線１２を介して所望の他の通信装置へ送信することができる。また逆に、公衆回線１２を介して他の通信装置から文書を受信し、ＰＣ１１ａ〜１１ｎへデータを転送することもできる。
【００１３】
図２は、本発明の複合機１０の構成を示すブロック図である。２０は複合機１０全体の動作を制御するＣＰＵ、２１は各種制御プログラム等を記憶したＲＯＭ、２２はワーク用のＲＡＭ、２３はテンキーやタッチパネル等の操作手段と液晶ディスプレイ等の表示手段からなる操作表示部である。
【００１４】
また、２４は原稿を読み取って文書に変換するスキャナであり、２５は文書を記録紙に印刷するプリンタ、２６は送受信する文書の符号化や復号化を行う圧縮復元部、２７は公衆回線１２を介して外部の通信装置との送受信を制御する通信制御部、２８はモデム、２９は公衆回線１２と接続される網制御部、３０はネットワークインタフェースカード（ＮＩＣ）を備えてＬＡＮ回線と接続されるネットワーク制御部である。
【００１５】
このようなネットワークシステムにおいて、複合機１０が有する画像データ等をＰＣ１１ａ〜１１ｎへ送信してＰＣ１１ａ〜１１ｎに保存することができる。例えば、スキャナ２４で読み込んだ画像に名称を付してＰＣ１１ａへ送信し、ＰＣ１１ａに保存する場合、ユーザは操作表示部２３を操作してスキャナ機能を選択した後、どのＰＣへ送信するかを入力する。操作表示部２３に通信可能なＰＣの一覧（不図示）を表示してユーザが選択できるようにすると使い勝手がよい。
【００１６】
今、ＰＣ１１ａを送信先として選択すると、複合機１０はＰＣ１１ａにアクセスしてＰＣ１１ａより通信可能である旨の応答を受信するとともに、ＰＣ１１ａの設定言語の文字コードを受信する。ここで、文字コードとは、言語毎に決められた文字コード表の番号（例えば、ギリシア語は１２５３）を指すものである。
【００１７】
次に、ユーザは操作表示部２３を操作して読み取る原稿の名称を入力する。このとき、操作表示部２３には、ＰＣ１１ａから受信した文字コードに従ったソフトキーボードが表示される。例えば図３は、複合機１０の設定言語が日本語であり、ＰＣ１１ａの設定言語がイタリア語である場合に、操作表示部２３に表示されたイタリア語のソフトキーボードの画像４０を示す図である。文字のキー配列のみがイタリア語で表示され、それ以外は日本語表示のままである。
【００１８】
ユーザは、このソフトキーボードを用いてＰＣ１１ａの設定言語で所望の名称を入力することができる。しかる後、スタートキー（不図示）を選択すると、複合機１０はセットされている原稿を読み込み、読み取った画像に先程入力された名称を付してＰＣ１１ａへ送信する。それにより、ＰＣ１１ａ上で表示される画像データの名称は文字化けせず、複合機１０上で入力されたままの文字列が表示される。
【００１９】
このように、複合機１０は、ＰＣ１１ａで設定されている言語の文字コードを取得し、ＰＣ１１ａへ送信するデータに付加する文字を入力する際には、取得した文字コードに従ったソフトキーボードを表示することにより、ユーザはＰＣ１１ａの言語で文字入力できるので、ＰＣ１１ａと複合機１０で使用している文字コードが異なる場合でも、データに付加した文字をＰＣ１１ａ上で適切に表示することができる。
【００２０】
なお複合機１０が、取得した文字コードの文字コード表を有していない場合、操作表示部２３で使用中の文字コードに従ったソフトキーボードを操作表示部２３に表示するようにしてもよい。これにより、そのソフトキーボードで入力されたデータ名称は、従来と同様にＰＣ１１ａ上で何らかの文字として表示することが可能である。また、テンキー（不図示）のみで名称を入力すると、文字化けを防止することができる。
【００２１】
また複合機１０が、取得した文字コードの文字コード表を有していない場合、その文字コードの文字コード表をダウンロードした後、その文字コードに従ったソフトキーボードを表示するようにしてもよい。ここで、文字コード表は、その文字コードを送信したＰＣからダウンロードしてもよいし、別の所定のサーバ装置からダウンロードするようにしてもよい。このように、複合機１０は、文字コード表をダウンロードするのに多少の時間を要するが、ＰＣから取得した文字コードに従ってソフトキーボードを表示することができ、ユーザはＰＣの言語で文字入力できるので、ＰＣと複合機１０で使用している文字コードが異なる場合でも、データに付加した文字をＰＣ上で適切に表示することができる。
【００２２】
なお、複合機１０において、新たに文字コード表をダウンロードしたときは、メモリ容量に空きがあれば追加記録することができる。一方、通常はメモリ容量に空き容量がないため、既存の文字コード表の何れかを消去して新たな文字コード表を記録すればよい。その際、消去する文字コード表は使用頻度の低いものを消去するのが望ましい。また、ダウンロードした文字コード表はＲＡＭ２２に一時的に記憶するようにしてもよい。
【００２３】
なお、操作表示部２３に表示するソフトキーボードの各キーには２種以上の文字を同時に表示してもよい。例えば、複合機１０の設定言語に対応した文字と通信中のＰＣの設定言語に対応した文字とを表示することができる。それにより、ＰＣへ送信するデータか否かに関わらず、操作表示部２３にはそのソフトキーボードを表示すればよい。
【００２４】
なお本発明の通信装置は、上記の複合機の他に、ネットワークスキャナ、ネットワークファクシミリ等に適用することができる。
【００２５】
【発明の効果】
本発明によれば、通信装置は、端末装置で設定されている言語の文字コードを取得し、端末装置へ送信するデータに付加する文字を入力する際には、端末装置の文字コードに従ったソフトキーボードを表示することにより、ユーザは通信装置上で端末装置の言語を用いて文字入力できるので、端末装置と通信装置で使用している文字コードが異なる場合でも、データに付加した文字を端末装置上で適切に表示することができる。
【００２６】
また本発明によれば、通信装置が取得した文字コードの文字コード表を有していない場合、通信装置の操作表示部で使用中の文字コードに従ったソフトキーボードを操作表示部に表示することにより、通信装置のソフトキーボードで入力されたデータ名称は、従来と同様に端末装置上で何らかの文字として表示することが可能である。
【００２７】
また本発明によれば、通信装置が取得した文字コードの文字コード表を有していない場合、端末装置の文字コードの文字コード表をダウンロードした後、端末装置の文字コードに従ったソフトキーボードを操作表示部に表示することにより、ユーザは通信装置上で端末装置の言語を用いて文字入力できるので、端末装置と通信装置で使用している文字コードが異なる場合でも、データに付加した文字を端末装置上で適切に表示することができる。
【図面の簡単な説明】
【図１】    本発明の複合機を用いたネットワークシステムの構成を示すブロック図である。
【図２】    本発明の複合機の構成を示すブロック図である。
【図３】    本発明の複合機の操作表示部に表示されたイタリア語のソフトキーボードの画像を示す図である。
【符号の説明】
１０    複合機（通信装置）
１１ａ〜１１ｎ    ＰＣ（端末装置）
２３    操作表示部
【図１】
0003784339.tif 000002
【図２】
0003784339.tif 000003
【図３】
0003784339.tif 000004